【手続補正書】
【提出日】令和2年1月7日(2020.1.7)
【手続補正１】
【補正対象書類名】明細書
【補正対象項目名】０００５
【補正方法】変更
【補正の内容】
【０００５】
本発明者らが、鋭意検討を重ねた結果、上記課題を解決するトナーを提供するためには、シャープメルト性を有する結晶性樹脂とワックス及びワックス分散剤との関係が重要であることを見出し、本発明に至った。
すなわち、本発明は、非晶性ポリエステル樹脂、結晶性ポリエステル樹脂、ワックス、及びワックス分散剤を含有するトナー粒子を有するトナーであって、
前記ワックス分散剤が、下記式（４）で示されるユニットを有するスチレンアクリル系ポリマー部位とポリオレフィン部位と、を有する重合体であり、
前記ワックスが、下記式（１）で示されるエステル化合物である
ことを特徴とするトナーに関する。
Ｒ1−ＣＯ−Ｏ−Ｒ2    （１）
（式（１）中、Ｒ1及びＲ2は、それぞれ独立に、炭素数１８以上２４以下のアルキル基を示す。）
【化１】
2018112688.tif 000001
（式（４）中、Ｒ3は、水素原子又はメチル基を示し、Ｒ4は、飽和脂環式基を示す。）
【手続補正２】
【補正対象書類名】明細書
【補正対象項目名】０００８
【補正方法】変更
【補正の内容】
【０００８】
本発明のトナーは、非晶性ポリエステル樹脂、結晶性ポリエステル樹脂、ワックス、及びワックス分散剤を含有するトナー粒子を有するトナーであって、
前記ワックス分散剤が飽和脂環式基を有するユニットを有するスチレンアクリル系ポリマー部位とポリオレフィン部位とを有する重合体であり、
前記ワックスが、下記式（１）で示されるエステル化合物であることを特徴とする。
Ｒ1−ＣＯ−Ｏ−Ｒ2    （１）
（式（１）中、Ｒ1及びＲ2は、それぞれ独立に、炭素数１８以上２４以下のアルキル基を示す。）
【手続補正３】
【補正対象書類名】明細書
【補正対象項目名】０００９
【補正方法】変更
【補正の内容】
【０００９】
本発明では、トナーに結晶性ポリエステル樹脂、飽和脂環式基を有するユニットを持つワックス分散剤、及びエステルワックスの３者を含有している。本発明で用いたワックス分散剤はポリオレフィン部位にエステルワックスが相互作用することでワックスがトナー中に分散する。同時に本発明の分散剤は結晶性ポリエステルとも相互作用することで、結晶性ポリエステルの可塑効果が向上し、低温定着性が向上する。また、本件で用いるワックス分散剤は、飽和脂環式基を有するユニットを有しているため、疎水性が高く、高温高湿下での帯電性や耐ブロッキング性が向上する。
【手続補正４】
【補正対象書類名】明細書
【補正対象項目名】００２０
【補正方法】変更
【補正の内容】
【００２０】
本発明においてワックス分散剤とワックスの関係が上記式（３）を満たすことで、ワックス分散剤の疎水性の効果が十分に発揮され、高温高湿下での帯電性が向上する。
【手続補正５】
【補正対象書類名】明細書
【補正対象項目名】００５１
【補正方法】変更
【補正の内容】
【００５１】
本発明のワックス分散剤は、嵩高い飽和脂環式基を有する構造部位を有しているため、トナー中でワックス分散剤と結晶性ポリエステル樹脂とが相互作用することによって、嵩高い側鎖をもつような可塑剤となっているものと推測される。このため、本発明において、ワックス分散剤と結晶性ポリエステル樹脂とを併用することで、低温定着性がさらに向上するものと考えられる。
【手続補正６】
【補正対象書類名】明細書
【補正対象項目名】００７２
【補正方法】変更
【補正の内容】
【００７２】
＜ワックス分散剤＞
本発明のワックス分散剤は、ポリオレフィンにスチレンアクリル系ポリマーがグラフト重合している重合体であって、該スチレンアクリル系ポリマーが、飽和脂環式基を有するユニットを含有する。
【手続補正７】
【補正対象書類名】明細書
【補正対象項目名】００７４
【補正方法】変更
【補正の内容】
【００７４】
また、スチレンアクリル系ポリマーが、飽和脂環式基を有するユニットを有している場合、トナー粒子中でワックスを微分散させると同時に、トナーが高温高湿下に放置されても帯電性を維持することが可能となる。
【手続補正８】
【補正対象書類名】明細書
【補正対象項目名】００７７
【補正方法】変更
【補正の内容】
【００７７】
従来のワックス分散剤と比較して、本発明のワックス分散剤は嵩高い飽和脂環式基を有する構造部位を有しているため、該ワックス分散剤がトナー粒子表面に移行しても、ワックスの溶出が抑制される。その結果、トナーが高温高湿下に放置されてもトナーの流動性が低下せず、耐ブロッキング性が向上し、かつ、帯電性が悪化しないと考えられる。
【手続補正９】
【補正対象書類名】明細書
【補正対象項目名】００７８
【補正方法】変更
【補正の内容】
【００７８】
また、該ワックス分散剤がトナー粒子表面に移行した場合、飽和脂環式基を有する構造部位が疎水性を示すため、トナー粒子の疎水性が向上し、高温高湿下に放置されても帯電性が悪化しないものと考えられる。
【手続補正１０】
【補正対象書類名】明細書
【補正対象項目名】００７９
【補正方法】変更
【補正の内容】
【００７９】
本発明のワックス分散剤は、ポレオレフィンでグラフト変性されたスチレンアクリル系ポリマーを含有し、該スチレンアクリル系ポリマーが飽和脂環式基を有する構造部位を有している。
【手続補正１１】
【補正対象書類名】明細書
【補正対象項目名】００８４
【補正方法】変更
【補正の内容】
【００８４】
本発明のワックス分散剤において、スチレンアクリル系ポリマーは、飽和脂環式基を有する構造部位を有していれば特に限定されることはない。例えば、スチレンアクリル系ポリマーが、下記式（４）で示されるモノマーユニットを有する態様が挙げられる。
【手続補正１２】
【補正対象書類名】明細書
【補正対象項目名】００９１
【補正方法】変更
【補正の内容】
【００９１】
上記スチレンアクリル系樹脂は、飽和脂環式基を有する構造部位を有するビニル系モノマー（ａ）の単独重合体でもよいが、その他のモノマー（ｂ）との共重合体であってもよい。
【手続補正１３】
【補正対象書類名】特許請求の範囲
【補正対象項目名】全文
【補正方法】変更
【補正の内容】
【特許請求の範囲】
【請求項１】
非晶性ポリエステル樹脂、結晶性ポリエステル樹脂、ワックス、及びワックス分散剤を含有するトナー粒子を有するトナーであって、
前記ワックス分散剤が、下記式（４）で示されるユニットを有するスチレンアクリル系ポリマー部位とポリオレフィン部位とを有する重合体であり、
前記ワックスが、下記式（１）で示されるエステル化合物である
ことを特徴とするトナー。
Ｒ1−ＣＯ−Ｏ−Ｒ2    （１）
（式（１）中、Ｒ1及びＲ2は、それぞれ独立に、炭素数１８以上２４以下のアルキル基を示す。）
【化１】
2018112688.tif 000002
（式（４）中、Ｒ3は、水素原子又はメチル基を示し、Ｒ4は、飽和脂環式基を示す。）
【請求項２】
前記式（４）で示されるユニットが、シクロヘキシルアクリレート由来のユニット又はシクロヘキシルメタクリレート由来のユニットである請求項１に記載のトナー。
【請求項３】
前記エステル化合物中における未反応のアルコール成分の割合が、１．５％以下である請求項１又は２に記載のトナー。
【請求項４】
前記ポリオレフィン部位が、ポリプロピレンを含有し、
前記ポリプロピレンの融点Ｍｐ（ｐ）が、下記式（２）を満たす
請求項１〜３のいずれか１項に記載のトナー。
７０≦Ｍｐ（ｐ）≦９０    （２）
【請求項５】
前記結晶性ポリエステル樹脂が、炭素数６以上１２以下の脂肪族ジオールと、炭素数６以上１２以下の脂肪族ジカルボン酸化合物と、の縮重合物であり、
前記トナー粒子中の前記結晶性ポリエステル樹脂の含有量が、前記トナー粒子中の前記非晶性ポリエステル樹脂１００質量部に対し、３質量部以上１５質量部以下である請求項１〜４のいずれか１項に記載のトナー。
【請求項６】
前記ワックス分散剤の含有量Ｂ（質量部）と前記ワックスの含有量Ｗ（質量部）が、下記式（３）を満たす請求項１〜５のいずれか１項に記載のトナー。
Ｂ≧１．５×Ｗ    （３）